(57)【要約】【課題】医用画像データの転送に関る処理を改善する。【解決手段】一実施形態の医用画像処理装置は、通信手段、画像処理手段、記憶手段、転送管理手段を備える。通信手段は、転送先装置と通信する。画像処理手段は、医用画像データに対して画像処理を施す。記憶手段は、医用画像データに対して施すべき画像処理を示す加工指示と、当該医用画像データを前記各転送先装置のいずれかに転送するための転送条件と、当該医用画像データの転送先となる転送先装置を示す転送先情報とを定めた設定情報を記憶する。転送管理手段は、転送対象の医用画像データに対して設定情報に定められた加工指示に応じた画像処理を画像処理手段に実行させ、当該画像データに対して設定情報に定められた転送条件が成立すると、通信手段に当該画像データを設定情報に定められた転送先情報が示す転送先装置へと転送させる。【選択図】    図４
2014042736.tif 000002
【特許請求の範囲】
【請求項１】
１又は複数の転送先装置と通信する通信手段と、
被検体に関する医用画像データに対して画像処理を施す画像処理手段と、
医用画像データに対して施すべき画像処理を示す加工指示と、当該医用画像データを前記各転送先装置のいずれかに転送するための転送条件と、当該医用画像データの転送先となる前記転送先装置を示す転送先情報とを定めた設定情報を記憶する記憶手段と、
転送対象の医用画像データに対して前記設定情報に定められた加工指示に応じた画像処理を前記画像処理手段に実行させるとともに、当該医用画像データに対して前記設定情報に定められた前記転送条件が成立すると、前記通信手段に当該医用画像データを前記設定情報に定められた前記転送先情報が示す前記転送先装置へと転送させる転送管理手段と、
を備えることを特徴とする医用画像処理装置。
【請求項２】
前記転送条件は、前記加工指示にて示される画像処理の完了を含むことを特徴とする請求項１に記載の医用画像処理装置。
【請求項３】
撮影装置にて被検体を撮影することによって収集された被検体の内部形態を表す投影データを再構成することにより、医用画像データを生成する再構成手段をさらに備え、
前記転送対象の医用画像データは、前記再構成手段が生成した医用画像データであることを特徴とする請求項１又は２に記載の医用画像処理装置。
【請求項４】
前記転送対象の医用画像データは、前記画像処理手段による画像処理によって生成された医用画像データであることを特徴とする請求項１又は２に記載の医用画像処理装置。
【請求項５】
被検体に関する医用画像データを受信する受信手段をさらに備え、
前記転送対象の医用画像データは、前記受信手段が受信した医用画像データであることを特徴とする請求項１又は２に記載の医用画像処理装置。
【請求項６】
前記設定情報は、複数の医用画像データのそれぞれについて前記加工指示、前記転送条件および前記転送先情報を定め、
前記転送管理手段は、転送条件の成立を待つ医用画像データの転送処理に関するキューデータをキューに格納し、このキューに格納された各キューデータに対応する医用画像データに前記設定情報にて定められた前記転送条件が成立した医用画像データが含まれる場合には、前記通信手段に当該医用画像データを前記設定情報にて定められた前記転送先情報が示す前記転送先装置へと転送させることを特徴とする請求項１乃至５のうちいずれか１に記載の医用画像処理装置。
【請求項７】
前記転送待ちキューに格納されたキューデータを表示する表示手段をさらに備えることを特徴とする請求項１乃至６のうちいずれか１に記載の医用画像処理装置。
【請求項８】
撮影装置を制御して被検体の内部形態を表す投影データを収集する撮影制御手段と、
前記撮影制御手段が収集した投影データを再構成し、医用画像データを生成する再構成手段と、
前記医用画像データに対して画像処理を施す画像処理手段と、
前記撮影制御手段および前記再構成手段による処理の状況を表すステータス情報を医用画像データの転送先となる前記転送先装置に送信するステータス送信手段と、
前記医用画像データに対して施すべき画像処理を示す加工指示を定めた設定情報を記憶する記憶手段と、を備え、
前記ステータス送信手段は、前記撮影制御手段および前記再構成手段による処理が終了した際に、前記設定情報に定められた前記加工指示に応じた画像処理を前記画像処理手段に実行させるとともに、この画像処理を経て生成される医用画像データの識別情報と、前記再構成手段が生成した医用画像データの識別情報とを含む前記ステータス情報を前記転送先装置に送信することを特徴とする医用画像処理装置。
【発明の詳細な説明】
【技術分野】
【０００１】
本発明の実施形態は、医用画像データを転送する医用画像処理装置に関する。
【背景技術】
【０００２】
病院等の医療施設では、Ｘ線ＣＴ（Computed Tomography）装置、ＭＲＩ（Magnetic Resonance Imaging）装置、超音波診断装置等のモダリティにより被検体をスキャンすることによって生成される医用画像データを用いて患者の診断・治療等が行われている。
【０００３】
モダリティによって生成された医用画像データは、モダリティからＰＡＣＳ（Picture Archiving and Communication System）が備えるサーバやワークステーション等の転送先装置に転送される。モダリティは、スキャンによって生成した医用画像データに加え、当該医用画像データに対して各種の画像処理を施した画像データを転送先装置に転送することもある。
【０００４】
このような転送をモダリティのオペレータが手動操作によって行う場合、オペレータのミスにより画像データの転送忘れや転送漏れ等が生じる虞がある。
【０００５】
また、モダリティにて医用画像データが生成されるたびにその医用画像データが所定の転送先装置に自動転送されるように設定しておくことも考えられるが、この場合には不要な画像データまで転送先装置に転送される。
【０００６】
これらのほかにも、モダリティから転送先装置への医用画像データの転送に関連して、種々の問題が存在している。
【先行技術文献】
【特許文献】
【０００７】
【特許文献１】特開２００６−２７７０５４号公報
【発明の概要】
【発明が解決しようとする課題】
【０００８】
本発明が解決しようとする課題は、モダリティから転送先装置への医用画像データの転送に関る処理を改善することである。
【課題を解決するための手段】
【０００９】
一実施形態に係る医用画像処理装置は、通信手段と、画像処理手段と、記憶手段と、転送管理手段とを備える。通信手段は、１又は複数の転送先装置と通信する。画像処理手段は、被検体に関する医用画像データに対して画像処理を施す。記憶手段は、医用画像データに対して施すべき画像処理を示す加工指示と、当該医用画像データを前記各転送先装置のいずれかに転送するための転送条件と、当該医用画像データの転送先となる前記転送先装置を示す転送先情報とを定めた設定情報を記憶する。転送管理手段は、転送対象の医用画像データに対して前記設定情報に定められた加工指示に応じた画像処理を前記画像処理手段に実行させるとともに、当該医用画像データに対して前記設定情報に定められた前記転送条件が成立すると、前記通信手段に当該医用画像データを前記設定情報に定められた前記転送先情報が示す前記転送先装置へと転送させる。
【図面の簡単な説明】
【００１０】
【図１】第１の実施形態に係る医用画像処理システムの構成図。
【図２】同実施形態に係るコンソール装置の要部構成を示すブロック図。
【図３】同実施形態に係るコンソール装置のＣＰＵが実現する機能を表すブロック図。
【図４】同実施形態に係る設定情報ファイルのデータ構造例を示す図。
【図５】同実施形態に係る設定情報ファイルのデータ構造例を示す図。
【図６】同実施形態に係るシリーズの付帯情報のデータ構造例を示す図。
【図７】同実施形態に係るキューデータのデータ構造例を示す図。
【図８】同実施形態に係る転送管理処理のフローチャート。
【図９】同実施形態に係る転送の処理状況の遷移を示す図。
【図１０】同実施形態に係る具体例を説明するための図。
【図１１】第２の実施形態における２つのコンソール装置のＣＰＵが実現する機能を表すブロック図。
【図１２】第４の実施形態に係るＭＰＰＳ設定情報ファイルのデータ構造例を示す図。
【発明を実施するための形態】
【００１１】
いくつかの実施形態につき、図面を参照しながら説明する。  
各実施形態においては、医用画像処理装置として、Ｘ線ＣＴ装置のコンソール装置を例示する。
【００１２】
（第１の実施形態）
図１は、Ｘ線ＣＴ装置１を含む医用画像処理システムの構成図である。このシステムは、Ｘ線ＣＴ装置１のほかに、ＣＴサーバ２と、ワークステーション３とを含む。
【００１３】
ＣＴサーバ２およびワークステーション３は、本実施形態における転送先装置であり、例えばＰＡＣＳやＲＩＳ（Radiology Information System）に含まれる。医用画像処理システムは、複数のサーバやワークステーションを含んでもよい。Ｘ線ＣＴ装置１、ＣＴサーバ２、ワークステーション３は、医療施設内に設置されたＬＡＮ（Local Area Network）等のネットワーク４を介して相互通信可能に接続されている。
【００１４】
Ｘ線ＣＴ装置１は、コンソール装置１０と、架台装置２０（撮影装置）と、寝台装置３０とを含む。架台装置２０は、Ｘ線を発生するＸ線源と、Ｘ線を検出するＸ線検出器とを備える。架台装置２０は、これらＸ線源およびＸ線検出器を開口部に挿入された被検体の体軸周りに回転させながらＸ線源にＸ線を発生させ、被検体を透過したＸ線をＸ線検出器にて検出することにより、被検体の内部形態を表す投影データを収集する。寝台装置３０は、被検体を架台装置２０の上記開口部に搬送する。
【００１５】
図２は、コンソール装置１０の要部構成を示すブロック図である。コンソール装置１０は、ＣＰＵ（Central Processing Unit）１１と、メモリ１２と、通信装置１３と、入力装置１４と、表示装置１５とを備える。また、コンソール装置１０には、架台装置２０と、寝台装置３０とが通信ケーブル等を介して相互通信可能に接続されている。
【００１６】
メモリ１２は、主記憶として機能するＲＯＭ（Read Only Memory）およびＲＡＭ（Random Access Memory）や、補助記憶として機能するＨＤＤ（Hard Disk Drive）あるいはＳＳＤ（Solid State Drive）等を備える。
【００１７】
通信装置１３は、ネットワーク４に接続された装置との通信を行う。入力装置１４は、オペレータが操作するトラックボール、マウス、キーボード、各種のボタン、タッチパネル等を含み、スキャン条件の入力やレポートの作成等に使用される。表示装置１５は、医用画像や患者情報等を選択的に表示する。
【００１８】
メモリ１２は、撮影プログラム５０、再構成プログラム５１、フュージョンプログラム５２、ＳＶＲ（Shaded Volume Rendering）プログラム５３、レポート作成プログラム５４、転送管理プログラム５５、および設定情報ファイル６０等を記憶する。
【００１９】
図３は、ＣＰＵ１１が上記各プログラム５０〜５５を実行することにより実現される機能を表すブロック図である。ＣＰＵ１１は、撮影プログラム５０を実行することにより撮影条件設定部１００および撮影制御部１０１として機能し、再構成プログラム５１を実行することにより再構成処理部１０２として機能し、フュージョンプログラムを実行することによりフュージョン処理部１０３として機能し、ＳＶＲプログラム５３を実行することによりＳＶＲ処理部１０４として機能し、レポート作成プログラム５４を実行することによりレポート作成処理部１０５として機能し、転送管理プログラム５５を実行することによりキュー管理部１０６、転送部１０７およびキュー閲覧制御部１０８として機能する。
【００２０】
撮影条件設定部１００は、オペレータによる入力装置１４の操作に従って撮影条件（撮影対象の画像種類等）を設定する。但し、撮影条件設定部１００は、通信装置１３が外部から受信するコマンドに従って撮影条件を設定してもよい。
【００２１】
撮影制御部１０１は、撮影条件設定部１００により設定された撮影条件に従って架台装置２０および寝台装置３０を制御して、投影データを収集するためのスキャンを実施する。撮影制御部１０１は、スキャンによって得られた投影データをメモリ１２に保存する。
【００２２】
再構成処理部１０２は、撮影制御部１０１がメモリ１２に保存した投影データを所定の再構成プロトコルに従って再構成することにより、医用画像データの一種である再構成画像データを生成する。再構成画像データを生成し終えたとき、再構成処理部１０２は、当該再構成画像データをメモリ１２に保存する。
【００２３】
フュージョン処理部１０３は、再構成処理部１０２がメモリ１２に保存した再構成画像データと、ＰＥＴ（Positron Emission Tomography）装置によるスキャンにて生成された医用画像（以下、ＰＥＴ画像）とを合成して、医用画像データの一種であるフュージョン画像データを生成する。ＰＥＴ画像データは、予めＰＥＴ装置にて生成され、メモリ１２に保存されているものとする。フュージョン画像データを生成し終えたとき、フュージョン処理部１０３は、当該フュージョン画像データをメモリ１２に保存する。
【００２４】
ＳＶＲ処理部１０４は、撮影制御部１０１がヘリカルスキャン等により収集した投影データを再構成処理部１０２が再構成して生成し、メモリ１２に保存した一連の再構成画像データにて構成されるボリュームデータに基づき、医用画像データの一種である３次元投影画像データ（以下、ＳＶＲ画像データ）を生成する。ＳＶＲ画像データを生成し終えたとき、ＳＶＲ処理部１０４は、当該ＳＶＲ画像データをメモリ１２に保存する。
【００２５】
レポート作成処理部１０５は、再構成処理部１０２がメモリ１２に保存した再構成画像データ、フュージョン処理部１０３がメモリ１２に保存したフュージョン画像データ、およびＳＶＲ処理部１０４がメモリ１２に保存したＳＶＲ画像データに基づき、医用画像データの一種であるレポート画像データを作成する。このレポート画像データには、レポート作成対象の画像データにアノテーションを付した画像や読影者が作成したレポート文等が含まれる。レポート画像データを生成し終えたとき、レポート作成処理部１０５は、当該レポート画像データをメモリ１２に保存する。
【００２６】
なお、フュージョン処理部１０３、ＳＶＲ処理部１０４、およびレポート作成処理部１０５は、医用画像に対して画像処理を施す画像処理部１２０を構成する。
【００２７】
再構成処理部１０２、フュージョン処理部１０３、ＳＶＲ処理部１０４、およびレポート作成処理部１０５が生成してメモリ１２に保存する一連の画像データを、シリーズと称す。例えば再構成処理部１０２がマルチスライスに係る複数の再構成画像データを生成した場合、これら複数の再構成画像データが１つのシリーズとなる。１枚の画像データやレポート画像データによって１つのシリーズが構成されることもある。各部１０２〜１０５は、シリーズをメモリ１２に保存した際に、シリーズの生成完了をキュー管理部１０６に通知する。
【００２８】
ここで、設定情報ファイル６０について説明する。設定情報ファイル６０は、Ｘ線ＣＴ装置１にて生成される各種の医用画像データの種類（画像種類）ごとに、医用画像データに対して施すべき画像処理を表す加工指示と、医用画像データを転送するための条件である転送条件と、医用画像データの転送先とを定める。
【００２９】
設定情報ファイル６０のデータ構造の一例を、図４，図５に示す。以下、説明の便宜上、図４に示す設定情報ファイルを設定情報ファイル６０ａと称し、図５に示す設定情報ファイル６０を設定情報ファイル６０ｂとし、両者を区別しない場合には単に設定情報ファイル６０と称す。
【００３０】
設定情報ファイル６０ａには、画像種類として、スキャンプランの決定に使用するためのプラン用画像データを示す「プラン用」、被検体の複数断面に関する再構成画像データ群（以下、マルチスライス画像データ）を示す「マルチスライス」、Ｘ線ＣＴ装置１にて生成された再構成画像データとＰＥＴ画像データとのフュージョン画像データを示す「ＰＥＴとのフュージョン」が記述されている。加工指示としては、「プラン用」および「ＰＥＴとのフュージョン」に対して加工指示なしを示す「なし」が記述され、「マルチスライス」に対してフュージョン画像データの生成を示す「フュージョン」が記述されている。転送条件としては、「プラン用」および「ＰＥＴとのフュージョン」に対して転送条件なしを示す「なし」が記述され、「マルチスライス」に対してフュージョン画像データが作成済みであることを示す「フュージョン画像作成済み」が記述されている。転送先としては、「プラン用」および「マルチスライス」に対してＣＴサーバ２を示す「ＣＴサーバ」が記述され、「ＰＥＴとのフュージョン」に対してＣＴサーバ２を示す「ＣＴサーバ」およびワークステーション３を示す「ワークステーション」が記述されている。
【００３１】
設定情報ファイル６０ｂには、画像種類として、上述の「プラン用」、比較的厚いスライス厚にて再構成した被検体の複数断面に関する再構成画像データ群（以下、厚いマルチスライス画像データ）を示す「厚いマルチスライス」、上述の「ＰＥＴとのフュージョン」、「厚いマルチスライス」よりも薄いスライス厚にて再構成した被検体の複数断面に関する再構成画像データ群（以下、薄いマルチスライス画像データ）を示す「薄いマルチスライス」、ＳＶＲ画像データを示す「ＳＶＲ」、レポート画像データを示す「レポート」が記述されている。加工指示としては、「プラン用」、「ＰＥＴとのフュージョン」、「薄いマルチスライス」および「レポート」に対して「なし」が記述され、「厚いマルチスライス」に対して上述の「フュージョン」と薄いマルチスライス画像データの生成を示す「薄いマルチスライス」が記述され、「薄いマルチスライス」に対してＳＶＲ画像データの生成を示す「ＳＶＲ」とレポート画像データの生成を示す「レポート」が記述されている。転送条件としては、「プラン用」、「ＰＥＴとのフュージョン」、「薄いマルチスライス」および「レポート」に対して「なし」が記述され、「厚いマルチスライス」に対して上述の「フュージョン画像作成済み」が記述され、「ＳＶＲ」に対してレポート画像データが作成済みであることを示す「レポート作成済み」が記述されている。転送先としては、「プラン用」、「厚いマルチスライス」および「ＳＶＲ」に対して上述の「ＣＴサーバ」が記述され、「ＰＥＴとのフュージョン」および「レポート」に対して上述の「ＣＴサーバ」および上述の「ワークステーション」が記述され、「薄いマルチスライス」に対して転送先なしを示す「なし」が記述されている。
【００３２】
このようなデータ構造の設定情報ファイル６０は、予めメモリ１２に保存されている。設定情報ファイル６０の内容は、例えば入力装置１４の操作によって変更することができる。
【００３３】
再構成処理部１０２、フュージョン処理部１０３、ＳＶＲ処理部１０４およびレポート作成処理部１０５は、メモリ１２に保存するシリーズに対して付帯情報を付す。この付帯情報のデータ構造例を、図６に示す。付帯情報は、シリーズごとに固有のシリーズＩＤと、シリーズに係る画像データの画像種類について設定情報ファイル６０に定められた加工条件、転送条件、および転送先とを書き込むための領域を含む。シリーズＩＤは、各部１０２〜１０５によって割り当てられ、付帯情報に書き込まれる。
【００３４】
キュー管理部１０６は、転送待ちキュー１１０を備える。キュー管理部１０６は、メモリ１２に保存されたシリーズに対応するキューデータを転送待ちキュー１１０に格納するとともに、このキューデータに対応するシリーズの転送タイミングを管理するための処理を行う。キューデータのデータ構造例を、図７に示す。キューデータは、対応するシリーズのシリーズＩＤと、当該シリーズに対応する画像データの画像種類と、当該シリーズの転送に関する処理状況とを記述するための領域を含む。
【００３５】
転送部１０７は、通信装置１３を制御して、転送タイミングが到来したキューデータに対応するシリーズを転送先装置に転送する。
【００３６】
キュー閲覧制御部１０８は、転送待ちキュー１１０に格納されたキューデータの内容を閲覧および変更するための処理を行う。
【００３７】
キュー管理部１０６の動作の詳細について説明する。キュー管理部１０６は、再構成処理部１０２、フュージョン処理部１０３、ＳＶＲ処理部１０４、およびレポート作成処理部１０５のいずれかからシリーズの生成完了が通知されると、図８のフローチャートに示す転送管理処理を実行する。
【００３８】
先ず、キュー管理部１０６は、生成完了の通知を受けたシリーズに対応する画像種類に定められた加工指示、転送条件、および転送先を設定情報ファイル６０から読み出し、当該シリーズの付帯情報に書き込む（ステップＳ１）。
【００３９】
ステップＳ１の後、キュー管理部１０６は、当該シリーズの付帯情報に書き込まれたシリーズＩＤと、当該シリーズに対応する画像種類と、現在の処理状況とを書き込んだキューデータを生成し、転送待ちキュー１１０に格納する（ステップＳ２）。処理状況は、例えば図９のように遷移する。すなわちキューデータが転送待ちキュー１１０に追加された当初において、処理状況は、当該キューデータに対応するシリーズに加工指示が書き込まれていない場合には「未転送」となり、書き込まれている場合には「画像生成待ち」となる。「画像生成待ち」となった後、加工指示に係るシリーズの生成が完了したならば、処理状況は「未転送」となる。「未転送」となった後、処理状況は、当該キューデータに対応するシリーズに転送先が書き込まれていないならば「完了」となり、書き込まれているならば当該転送先への転送が開始された際に「転送中」となる。「転送中」となった後、当該シリーズの転送が完了したならば、処理状況は「完了」となる。キュー管理部１０６は、新たなシリーズの生成時、転送の開始時、転送の完了時などの適宜のタイミングで、転送待ちキュー１１０に格納された各キューデータの処理状況を書き換える。
【００４０】
図８のフローチャートの説明に戻る。ステップＳ２の後、キュー管理部１０６は、当該シリーズの付帯情報に書き込まれた加工指示を読み取る（ステップＳ３）。さらに、キュー管理部１０６は、読み取った加工指示に対応する画像処理プログラム（各プログラム５０〜５４のいずれか）を起動する（ステップＳ４）。なお、加工指示が「なし」であれば、キュー管理部１０６は、ステップＳ４において画像処理プログラムを起動しない。
【００４１】
ステップＳ４の後、キュー管理部１０６は、当該シリーズの付帯情報に書き込まれた転送条件を読み取る（ステップＳ５）。さらに、キュー管理部１０６は、読み取った転送条件が満たされているか否かを判定する（ステップＳ６）。転送条件が満たされている場合（ステップＳ６のＹｅｓ）、キュー管理部１０６は、当該シリーズの転送開始を転送部１０７に指令する（ステップＳ７）。この指令を受けた転送部１０７は、通信装置１３を制御し、当該シリーズの付帯情報に書き込まれた転送先に対して当該シリーズを転送する。なお、ステップＳ６において、キュー管理部１０６は、当該シリーズの付帯情報に書き込まれた転送条件が「なし」である場合にも、転送条件が満たされていると判定する。
【００４２】
ステップＳ７の後、あるいはステップＳ６において転送条件が満たされていないと判定した場合（ステップＳ６のＮｏ）、キュー管理部１０６は、転送待ちキュー１１０に処理状況が“未転送”のキューデータが残っているか否かを判定する（ステップＳ８）。処理状況が“未転送”のキューデータが残っていない場合（ステップＳ８のＮｏ）、当該フローチャートに示す転送管理処理は終了となる。
【００４３】
処理状況が“未転送”のキューデータが残っている場合（ステップＳ８のＹｅｓ）、キュー管理部１０６は、メモリ１２に保存された当該キューデータに対応するシリーズの付帯情報に書き込まれた転送条件を読み取る（ステップＳ９）。さらに、キュー管理部１０６は、読み取った転送条件が満たされているか否かを判定する（ステップＳ１０）。転送条件が満たされている場合（ステップＳ１０のＹｅｓ）、キュー管理部１０６は、当該シリーズの転送開始を転送部１０７に指令する（ステップＳ１１）。この指令を受けた転送部１０７は、通信装置１３を制御し、当該シリーズの付帯情報に書き込まれた転送先に対して当該シリーズを転送する。なお、ステップＳ１０において、キュー管理部１０６は、当該シリーズの付帯情報に書き込まれた転送条件が「なし」である場合にも、転送条件が満たされていると判定する。
【００４４】
転送待ちキュー１１０に処理状況が「未転送」のキューデータが複数残っている場合、キュー管理部１０６は、これら各キューデータに対応する各シリーズのそれぞれを対象として、ステップＳ９〜Ｓ１１の処理を行う。
【００４５】
ステップＳ１１の後、あるいはステップＳ１０において転送条件が満たされていないと判定した場合（ステップＳ１０のＮｏ）、当該フローチャートに示す転送管理処理は終了となる。
【００４６】
このように、キュー管理部１０６は、シリーズの生成完了が通知されるたびに転送待ちキュー１１０への当該シリーズに係るキューデータを格納し、転送待ちキュー１１０に格納された全てのキューデータに対応するシリーズについて転送条件の成否を判定し、転送条件が成立したシリーズを転送先に転送する。
【００４７】
なお、ステップＳ４において、加工指示が「薄いマルチスライス」のようにスキャンを伴う画像のデータ生成を指示するものであれば、キュー管理部１０６は撮影プログラム５０および再構成プログラム５１を起動する。このとき、撮影プログラム５０にて実現される撮影制御部１０１は、架台装置２０や寝台装置３０を制御してマルチスライス画像データを生成するための投影データを収集する。さらに、再構成プログラム５１にて実現される再構成処理部１０２は、収集された投影データを用いた再構成処理によりマルチスライス画像データを生成し、生成した画像データをシリーズとしてメモリ１２に保存する。
【００４８】
また、ステップＳ４において、加工指示が「フュージョン」であれば、キュー管理部１０６はフュージョンプログラム５２を起動する。このとき、フュージョンプログラム５２にて実現されるフュージョン処理部１０３は、メモリ１２に保存された加工元のシリーズ（転送管理処理を開始するトリガとなった生成完了の通知に対応するシリーズ）に含まれる再構成画像データとＰＥＴ画像データとを合成してフュージョン画像データを生成するための処理を行い、生成した画像データをシリーズとしてメモリ１２に保存する。なお、合成に用いる再構成画像データとＰＥＴ画像データは、例えばオペレータが入力装置１４を操作して選択する。
【００４９】
また、ステップＳ４において、加工指示が「ＳＶＲ」であれば、キュー管理部１０６はＳＶＲプログラム５３を起動する。このとき、ＳＶＲプログラム５３にて実現されるＳＶＲ処理部１０４は、メモリ１２に保存された加工元のシリーズに含まれる再構成画像データにて構成されるボリュームデータを用いてＳＶＲ画像データを生成するための処理を行い、生成した画像データをシリーズとしてメモリ１２に保存する。なお、ＳＶＲ画像データを生成するための処理に必要な各種のパラメータ等は、例えばオペレータが入力装置１４を操作して指定する。
【００５０】
また、ステップＳ４において、加工指示が「レポート」であれば、キュー管理部１０６は、レポート作成プログラム５４を起動する。このとき、レポート作成プログラム５４にて実現されるレポート作成処理部１０５は、メモリ１２に保存された加工元のシリーズに含まれる医用画像データに対するレポート画像データを作成するための処理を行い、生成したレポート画像データをシリーズとしてメモリ１２に保存する。レポート画像データの生成対象とする医用画像データは、例えばオペレータが入力装置１４を操作して指定する。また、指定された医用画像データに対するアノテーションの付加やレポート文の作成は、オペレータが入力装置１４を操作して実施する。
【００５１】
このように、ステップＳ４にて起動されたプログラムに対応する各処理部は、加工元のシリーズを用いた各種の画像生成処理を実施する。この画像生成処理の結果、新たなシリーズが生成されると、当該シリーズを生成した処理部が生成完了をキュー管理部１０６に通知する。この通知を受けると、キュー管理部１０６は、図８のフローチャートに示す転送管理処理を再度実行する。
【００５２】
続いて、図４に示した設定情報ファイル６０ａに基づき画像撮影や転送等を行う場合を例にとり、転送管理処理の具体例について説明する。図１０は、当該具体例において生成されるシリーズの付帯情報と、転送待ちキュー１１０に格納されるキューデータの遷移を示す図である。
【００５３】
撮影条件設定部１００が生成すべき画像データの種類として、「プラン用」と「マルチスライス」とを設定したとする。このとき、撮影制御部１０１がプラン用画像に係る投影データを収集し、再構成処理部１０２が収集された投影データを用いた再構成処理を実行して、プラン用画像データのシリーズを生成する。再構成処理部１０２は、生成したシリーズをメモリ１２に保存するとともに、シリーズの生成完了をキュー管理部１０６に通知する。このシリーズの付帯情報には、図１０（ａ）に示すように、シリーズＩＤ「ＳＩＤ００１」が書き込まれているものとする。キュー管理部１０６は、再構成処理部１０２からの通知に応じて転送管理処理を開始し、当該シリーズの付帯情報に設定情報ファイル６０ａに定められた「プラン用」の加工指示「なし」、転送条件「なし」、転送先「ＣＴサーバ」を書き込む（ステップＳ１）。さらに、キュー管理部１０６は、シリーズＩＤ「ＳＩＤ００１」、画像種類「プラン用」、転送状況「未転送」を書き込んだ当該シリーズのキューデータを生成し、転送待ちキュー１１０に格納する（ステップＳ２）。
【００５４】
シリーズＩＤ「ＳＩＤ００１」のシリーズの付帯情報には、加工条件および転送条件として「なし」が書き込まれているので、キューデータ作成の直後においてキュー管理部１０６は、シリーズＩＤ「ＳＩＤ００１」のシリーズの転送を転送部１０７に指令する（ステップＳ７）。これに応じて転送部１０７は、当該シリーズの付帯情報に書き込まれた転送先「ＣＴサーバ」に対応するＣＴサーバ２への当該シリーズの転送を開始する。このとき、キュー管理部１０６は、図１０（ｂ）に示すようにシリーズＩＤ「ＳＩＤ００１」のキューデータの処理状況を「転送中」に書き換える。転送が完了すると、キュー管理部１０６は、図１０（ｃ）に示すようにシリーズＩＤ「ＳＩＤ００１」のキューデータの処理状況を「完了」に書き換える。
【００５５】
その後、撮影制御部１０１がマルチスライス画像に係る投影データを収集し、再構成処理部１０２が収集された投影データを用いた再構成処理を実行して、マルチスライス画像データのシリーズを生成する。再構成処理部１０２は、生成したシリーズをメモリ１２に保存するとともに、シリーズの生成完了をキュー管理部１０６に通知する。このシリーズの付帯情報には、図１０（ｄ）に示すように、シリーズＩＤ「ＳＩＤ００２」が書き込まれているものとする。キュー管理部１０６は、再構成処理部１０２からの通知に応じて転送管理処理を開始し、当該シリーズの付帯情報に設定情報ファイル６０ａに定められた「マルチスライス」の加工指示「フュージョン」、転送条件「フュージョン画像作成済み」、転送先「ＣＴサーバ」を書き込む（ステップＳ１）。さらに、キュー管理部１０６は、シリーズＩＤ「ＳＩＤ００２」、画像種類「マルチスライス」、転送状況「画像生成待ち」を書き込んだ当該シリーズのキューデータを生成し、転送待ちキュー１１０に格納する（ステップＳ２）。
【００５６】
シリーズＩＤ「ＳＩＤ００２」のシリーズには加工指示「フュージョン」が書き込まれているので、キュー管理部１０６は、フュージョンプログラム５２を起動する（ステップＳ４）。フュージョンプログラム５２にて実現されるフュージョン処理部１０３は、シリーズＩＤ「ＳＩＤ００２」のシリーズに含まれる再構成画像データとＰＥＴ画像データとを合成してフュージョン画像データを生成する。フュージョン処理部１０３は、生成したシリーズをメモリ１２に保存するとともに、シリーズの生成完了をキュー管理部１０６に通知する。このシリーズの付帯情報には、図１０（ｅ）に示すように、シリーズＩＤ「ＳＩＤ００３」が書き込まれているものとする。キュー管理部１０６は、再構成処理部１０２からの通知に応じて転送管理処理を開始し、当該シリーズの付帯情報に設定情報ファイル６０ａに定められた「フュージョン」の加工指示「なし」、転送条件「なし」、転送先「ＣＴサーバ」，「ワークステーション」（ＷＳ）を書き込む（ステップＳ１）。さらに、キュー管理部１０６は、シリーズＩＤ「ＳＩＤ００３」、画像種類「フュージョン」、転送状況「未転送」を書き込んだ当該シリーズのキューデータを生成し、転送待ちキュー１１０に格納する（ステップＳ２）。
【００５７】
シリーズＩＤ「ＳＩＤ００３」のシリーズの付帯情報には、加工条件および転送条件として「なし」が書き込まれているので、キューデータ作成の直後においてキュー管理部１０６は、シリーズＩＤ「ＳＩＤ００３」のシリーズの転送を転送部１０７に指令する（ステップＳ７）。これに応じて転送部１０７は、当該シリーズの付帯情報に書き込まれた転送先「ＣＴサーバ」に対応するＣＴサーバ２および「ワークステーション」に対応するワークステーション３への当該シリーズの転送を開始する。さらに、キュー管理部１０６は、転送状況が「未転送」であるシリーズＩＤ「ＳＩＤ００２」に対応するシリーズの付帯情報に書き込まれた転送条件「フュージョン画像作成済み」を読み取り（ステップＳ９）、当該転送条件の成否を判定する（ステップＳ１０）。フュージョン画像データは作成済みであるため、この転送条件は満たされる。したがって、キュー管理部１０６は、シリーズＩＤ「ＳＩＤ００２」のシリーズの転送を転送部１０７に指令する（ステップＳ１１）。これに応じて転送部１０７は、当該シリーズの付帯情報に書き込まれた転送先「ＣＴサーバ」に対応するＣＴサーバ２への当該シリーズの転送を開始する。
【００５８】
なお、転送部１０７は、シリーズＩＤ「ＳＩＤ００２」のシリーズに含まれる再構成画像データの全てを転送先に転送してもよいし、フュージョン画像の生成に用いられた再構成画像データのみを転送先に転送してもよい。
【００５９】
このようにシリーズＩＤ「ＳＩＤ００２」，「ＳＩＤ００３」のシリーズの転送が開始されると、キュー管理部１０６は、図１０（ｅ）に示すようにシリーズＩＤ「ＳＩＤ００２」，「ＳＩＤ００３」のキューデータの処理状況を「転送中」に書き換える。やがて、シリーズＩＤ「ＳＩＤ００２」，「ＳＩＤ００３」のシリーズの転送が完了すると、キュー管理部１０６は、図１０（ｆ）に示すようにシリーズＩＤ「ＳＩＤ００２」，「ＳＩＤ００３」のキューデータの処理状況を「完了」に書き換える。以上で全てのシリーズの転送が完了する。
【００６０】
このような処理がキュー管理部１０６等によって実行されている間、キュー閲覧制御部１０８は、転送待ちキュー１１０に格納されたキューデータの内容を閲覧および変更するための処理を行う。具体的には、キュー閲覧制御部１０８は、表示装置１５に転送待ちキュー１１０に格納されたキューデータの一覧を表示する。さらに、キュー閲覧制御部１０８は、入力装置１４の操作によるキューデータの処理状況の変更を受け付ける。例えば、キュー閲覧制御部１０８がキューデータの処理状況を「画像生成待ち」や「未転送」から「転送中」に変更すると、キュー管理部１０６は、転送条件等によらずに当該キューデータに係るシリーズの転送を転送部１０７に指令する。また、キュー閲覧制御部１０８がキューデータの処理状況を「画像生成待ち」、「未転送」、あるいは「転送中」から「完了」に変更すると、キュー管理部１０６は、当該キューデータに係るシリーズの転送を中止あるいは中断する。
【００６１】
以上説明したように、本実施形態のコンソール装置１０は、生成した医用画像データに対して設定情報ファイル６０にて定められた加工指示に係る画像処理を施し、設定情報ファイル６０にて定められた転送条件が満たされたことを条件に、当該医用画像データを設定情報ファイル６０にて定められた転送先に送信する。このような構成であれば、オペレータが手動で医用画像データを転送する必要がなく、転送忘れや転送漏れが防がれる。また、加工指示や転送条件を適切に定めることにより、医用画像データの転送に関る最適な環境を実現することができる。
【００６２】
例えば、転送先装置にアクセスして医用画像データを読影するに際し、医師は、スキャンにて得られるマルチスライス画像データやこのデータに基づいて生成されるフュージョン画像データ等が全て揃ってから読影を開始したい場合がある。この場合、図４にて例示したように加工指示および転送条件を定めておくと、フュージョン画像データが生成されるまでマルチスライス画像データが転送されない。したがって、転送先装置では、マルチスライス画像データとフュージョン画像データの転送を略同時期に受けるので、医師は両画像データが揃ってから読影を開始することができる。
【００６３】
また、ＳＶＲ画像データを生成するに際し、生成元となったマルチスライス画像データは転送先装置に保存せず、ＳＶＲ画像データのみを保存したい場合もある。この場合、図５にて例示したようにＳＶＲ画像データの生成元となる薄いマルチスライス画像データの転送先を「なし」に設定しておけば、生成元となった薄いマルチスライス画像データは転送先装置に転送されない。
【００６４】
これらの他にも、医療現場の実情に則して加工指示や転送条件等を適宜設定することにより、Ｘ線ＣＴ装置１から転送先装置への医用画像の転送に関る処理を大幅に改善することができる。
【００６５】
（第２の実施形態）
第２の実施形態について説明する。  
本実施形態では、複数のコンソール装置あるいはワークステーションを備えるモダリティにて転送処理を実現する点で、第１の実施形態と異なる。第１の実施形態と同一の構成要素には同一の符号を付し、重複説明は省略する。
【００６６】
なお、本実施形態においては、上記モダリティがコンソール装置１０ａ，１０ｂの２つを備えるＸ線ＣＴ装置であるとする。コンソール装置１０ａ，１０ｂは、第１の実施形態にて説明したコンソール装置１０と同様の構成を備える。但し、コンソール装置１０ａは、架台装置２０および寝台装置３０を制御して被検体をスキャンする役割を担い、コンソール装置１０ｂは、コンソール装置１０ａのスキャンにて生成される医用画像データに対する画像処理や、当該医用画像データおよび画像処理にて生成された医用画像データをＣＴサーバ２やワークステーション３等の転送先装置に転送する役割を担う。
【００６７】
図１１は、コンソール装置１０ａ，１０ｂのＣＰＵが実現する機能を示すブロック図である。コンソール装置１０ａのＣＰＵは、撮影条件設定部１００、撮影制御部１０１、再構成処理部１０２、キュー管理部１０６ａ、転送部１０７ａ、およびキュー閲覧制御部１０８ａを実現する。コンソール装置１０ｂのＣＰＵは、フュージョン処理部１０３、ＳＶＲ処理部１０４、レポート作成処理部１０５、キュー管理部１０６ｂ、転送部１０７ｂ、キュー閲覧制御部１０８ｂ、および受信部１０９を実現する。
【００６８】
キュー管理部１０６ａは、再構成処理部１０２にて生成される再構成画像データに係るシリーズのキューデータを格納するための転送待ちキュー１１０ａを備える。転送部１０７ａは、転送待ちキュー１１０ａに格納されたキューデータに係るシリーズをコンソール装置１０ｂに順次転送する。キュー閲覧制御部１０８ａは、転送待ちキュー１１０ａに格納されたキューデータの内容を閲覧および変更するための処理を行う。
【００６９】
コンソール装置１０ｂの受信部１０９は、転送部１０７ａから転送されたシリーズを受信する。キュー管理部１０６ｂは、受信部１０９が受信したシリーズのキューデータを格納するための転送待ちキュー１１０ｂを備える。キュー管理部１０６ｂは、この転送待ちキュー１１０ｂを用いて、受信部１０９が受信したシリーズを対象とした転送管理処理（図８参照）を実行する。転送管理処理において、当該シリーズの加工指示に「フュージョン」、「ＳＶＲ」、あるいは「レポート」等が設定されているならば、フュージョン処理部１０３、ＳＶＲ処理部１０４、あるいはレポート作成処理部１０５等が当該シリーズに含まれる再構成画像データに対して画像処理を施し、フュージョン画像データ、ＳＶＲ画像データ、あるいはレポート画像データ等を生成する。転送部１０７ｂは、転送管理処理においてキュー管理部１０６ｂからシリーズの転送の指令を受けると、当該シリーズの付帯情報に書き込まれた転送先に転送する。キュー閲覧制御部１０８ｂは、転送待ちキュー１１０ｂに格納されたキューデータの内容を閲覧および変更するための処理を行う。
【００７０】
本実施形態の構成であっても、第１の実施形態と同様に、Ｘ線ＣＴ装置１から転送先装置への医用画像の転送に関る処理を大幅に改善することができる。
【００７１】
（第３の実施形態）
第３の実施形態について説明する。  
本実施形態では、設定情報ファイル６０が予めコンソール装置１０のメモリ１２に保存されているのではなく、ＲＩＳからのスキャンオーダー時に指定される点で第１の実施形態と異なる。第１の実施形態と同一の構成要素には同一の符号を付し、重複説明は省略する。
【００７２】
Ｘ線ＣＴ装置１は、ＤＩＣＯＭ規格のもと、ＭＷＭ（Modality Worklist Management）に従ってスキャンオーダー情報や患者情報をＲＩＳのＭＷＭサーバから受信する。現状において、このＭＷＭに係る通信では、加工指示、転送条件および転送先等にて構成される設定情報をセットすることができない。
【００７３】
そこで、上記設定情報をＲＩＳ側でコメントの形式にて作成しておき、Ｘ線ＣＴ装置１にスキャンオーダー情報や患者情報とともに当該コメントを受信させる。さらに、Ｘ線ＣＴ装置１に当該コメントから設定情報を解釈するための手段を設け、解釈された設定情報を第１の実施形態にて説明した設定情報ファイル６０の代わりに用いてキュー管理部１０６に転送管理処理を実行させる。
【００７４】
本実施形態の構成であっても、第１の実施形態と同様に、Ｘ線ＣＴ装置１から転送先装置への医用画像の転送に関る処理を大幅に改善することができる。
【００７５】
（第４の実施形態）
第４の実施形態について説明する。  
Ｘ線ＣＴ装置１は、ＤＩＣＯＭ規格のもと、検査の開始、途中経過、終了などのステータス情報を表すＭＰＰＳ（Modality Performed Procedure Step）をＲＩＳに送信している。検査の終了時に送信されるＭＰＰＳには、スキャンによって生成された再構成画像データのＩＤが含まれる。現状においては、検査の終了時に送信されるＭＰＰＳには、スキャンによって生成された再構成画像データに加工処理を施すことで生成された医用画像データ（フュージョン画像データ、ＳＶＲ画像データ、レポート画像データ等）のＩＤは含まれない。
【００７６】
本実施形態では、このような医用画像データのＩＤを含んだＭＰＰＳを、Ｘ線ＣＴ装置１からＲＩＳに送信させる構成を開示する。
【００７７】
Ｘ線ＣＴ装置１の構成は図２に示した通りである。ＣＰＵ１１が実現する機能は、図３に示したものに、ＭＰＰＳを送信するための処理を実行するステータス送信部が加わる。
【００７８】
本実施形態に係る設定情報ファイル６０には、加工指示が記述されない。キュー管理部１０６は、図８のフローチャートに沿う転送管理処理を実行する。しかしながら、上述の通り設定情報ファイル６０に加工指示が記述されていないので、ステップＳ３，Ｓ４は実質的に実行されない。
【００７９】
さらに、メモリ１２には、ＭＰＰＳ設定情報ファイルが保存されている。このファイルは、ＭＰＰＳの種類ごとに、スキャンによって生成された再構成画像データに対して施すべき画像処理を表す加工指示と、ＭＰＰＳを転送（送信）するための条件である転送条件と、ＭＰＰＳの転送先とを定める。
【００８０】
このようなＭＰＰＳ設定情報ファイルの一例を、図１２に示す。このＭＰＰＳ設定情報ファイル７０には、ＭＰＰＳの種類として、検査開始時に送信するＭＰＰＳを示す「検査の開始」、スキャンや再構成処理の途中経過を示す「途中経過」、一連のスキャンや再構成処理の終了を示す「検査の終了」が記述されている。また、ＭＰＰＳ設定情報ファイル７０には、加工指示として、「検査の終了」に対してフュージョン画像の生成を示す「フュージョン」が記述され、転送先として各ＭＰＰＳの種類に対してＣＴサーバ２を示す「ＣＴサーバ」が記述されている。このようなＭＰＰＳ設定情報ファイル７０は、例えば第３の実施形態にて説明したコメント形式にてＲＩＳからコンソール装置１０に送信され、メモリ１２に保存される。
【００８１】
ＣＰＵ１１は、スキャンを実施するにあたり、メモリ１２に保存されたＭＰＰＳ設定情報ファイル７０に従ってＭＰＰＳを送信する。すなわち、ＣＰＵ１１は、加工指示や転送条件が定められていない「検査の開始」や「途中経過」に係るＭＰＰＳについては従来通り転送先であるＣＴサーバ２に送信する。
【００８２】
但し、「検査の終了」に係るＭＰＰＳについては、加工指示「フュージョン」に従ってフュージョンプログラム５２を起動し、これにより実現されるフュージョン処理部１０３にフュージョン画像データを生成させる。また、転送条件が「フュージョン画像生成済み」となっているので、ＣＰＵ１１は、フュージョン画像データの生成完了を待つ。やがてフュージョン処理部１０３がフュージョン画像データを生成し終え、同データに係るしリーズがメモリ１２に保存されると、ＣＰＵ１１は、「検査の終了」に係るＭＰＰＳを転送先であるＣＴサーバ２に送信する。ＣＰＵ１１は、このＭＰＰＳに、スキャンによって生成された再構成画像データのＩＤと、加工指示にて指定された画像処理にて生成される医用画像データ、すなわちフュージョン画像データのＩＤとを含ませる。
【００８３】
このようにすれば、スキャンによって生成された再構成画像データと、当該データを加工することで生成される医用画像データのＩＤとを含むＭＰＰＳを転送先に送信することができる。転送先では、このＭＰＰＳに含まれるＩＤを利用することによって、Ｘ線ＣＴ装置１にて生成された医用画像を漏れなく管理することができる。
【００８４】
（変形例）
上記各実施形態にて開示した構成は、種々の態様に変形して実施できる。  
例えば、上記各実施形態では、医用画像処理装置としてＸ線ＣＴ装置のコンソール装置を例示した。しかしながら、医用画像処理装置は、他種のモダリティのコンソール装置であってもよいし、ワークステーションやサーバであってもよい。
【００８５】
画像処理部１２０が実行する画像処理は、フュージョン画像データの生成、ＳＶＲ画像データの生成、レポート画像データの生成以外の処理を含んでもよい。また、設定情報ファイル６０等に加工指示として、画像の生成を伴わない処理、例えばオペレータによる画像内容の確認処理を含めてもよい。さらに、転送条件としてこの確認処理の完了を定めてもよい。
【００８６】
本発明のいくつかの実施形態を説明したが、これらの実施形態は例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００８７】
１…Ｘ線ＣＴ装置、２…ＣＴサーバ、３…ワークステーション、６０…設定情報ファイル、１００…撮影条件設定部、１０１…撮影制御部、１０２…再構成処理部、１０６…キュー管理部、１０７…転送部、１０８…キュー閲覧制御部、１１０…転送待ちキュー、１２０…画像処理部。
【図１】
2014042736.tif 000003
【図２】
2014042736.tif 000004
【図３】
2014042736.tif 000005
【図４】
2014042736.tif 000006
【図５】
2014042736.tif 000007
【図６】
2014042736.tif 000008
【図７】
2014042736.tif 000009
【図８】
2014042736.tif 000010
【図９】
2014042736.tif 000011
【図１０】
2014042736.tif 000012
【図１１】
2014042736.tif 000013
【図１２】
2014042736.tif 000014